(57)【要約】【課題】多様なマーキングの要望に対応することができ、顧客が眼鏡レンズの外観等を確認することができる眼鏡レンズの製造システム、眼鏡レンズの製造方法、プログラム、記録媒体を提供すること。【解決手段】眼鏡レンズ製造システム１では、端末１１でマーク情報及びレンズ情報を取得した後、このマーク情報及びレンズ情報を計算サーバ１４に出力して、計算サーバ１４の判定部１４１でマーキング可能かどうか判定する。判定部１４１でマーキング可能とされた場合には、端末１１の画像表示部に表示された眼鏡レンズのシミュレーション画像に基づいて、製造するかどうかを判断し、製造するとした場合には、計算サーバ１４の加工情報生成部１４２にて眼鏡レンズの加工情報が生成される。【選択図】図３
2005091425.tif 000002
【特許請求の範囲】
【請求項１】
内部にマークが形成された眼鏡レンズを製造するための眼鏡レンズの製造システムであって、
眼鏡レンズ内部に形成されるマークの形状情報を含むマーク情報を取得するマーク情報取得部と、
眼鏡レンズの外形形状情報、光学的特性情報を含むレンズ情報を取得するレンズ情報取得部と、
前記マーク情報取得部により取得したマーク情報及び前記レンズ情報取得部により取得したレンズ情報に基づいて眼鏡レンズへのマーキングが可能か否かを判定する判定部と、
前記判定部によりマーキング可能とされたマーク情報及びレンズ情報に基づいて、内部にマークが形成された眼鏡レンズのシミュレーション画像を生成し、画像表示部に表示させる画像生成部と、
画像表示部に表示された眼鏡レンズの製造の許可又は拒否の選択を促す許否選択部と、
前記許否選択部で製造の許可を選択した場合に、マーク情報及びレンズ情報に基づいて眼鏡レンズの加工情報を生成する加工情報生成部とを備えることを特徴とする眼鏡レンズの製造システム。
【請求項２】
請求項１に記載の眼鏡レンズの製造システムにおいて、
眼鏡レンズを販売する小売店に設置される端末と、この端末と通信回線を介して接続されるサーバとを備え、
前記端末は、前記マーク情報取得部、レンズ情報取得部、画像生成部及び許否選択部を有し、
前記サーバは、判定部及び加工情報生成部を有することを特徴とする眼鏡レンズの製造システム。
【請求項３】
請求項１又は２に記載の眼鏡レンズの製造システムにおいて、
複数の種類の異なるマークのマーク情報を記憶した記憶部を備え、
前記マーク情報取得部は、前記記憶部に記憶されたマーク情報のなかからマーク情報を選択することによりマーク情報を取得することを特徴とする眼鏡レンズの製造システム。
【請求項４】
請求項１から３の何れかに記載の眼鏡レンズの製造システムにおいて、
前記眼鏡レンズ内部にマーキングするマークのマーク情報を生成するマーク情報生成部を備え、
前記マーク情報取得部は、前記マーク情報生成部で生成されたマーク情報を取得することを特徴とする眼鏡レンズの製造システム。
【請求項５】
内部にマークが形成された眼鏡レンズを製造するための眼鏡レンズの製造方法であって、
コンピュータが、前記マークの形状情報を含むマーク情報を取得するマーク情報取得手順と、
眼鏡レンズの外形形状情報、光学的特性情報を含むレンズ情報を取得するレンズ情報取得手順と、
前記マーク情報取得手順で取得したマーク情報及び前記レンズ情報取得手順で取得したレンズ情報に基づいて、眼鏡レンズへのマーキングが可能か否かを判定する判定手順と、
前記判定手順で、マーキング可能とされたマーク情報及びレンズ情報に基づいて、内部にマークが形成された眼鏡レンズのシミュレーション画像を生成し、画像表示部に表示させる画像生成手順と、
前記画像表示部に表示された眼鏡レンズの製造の許可又は拒否の選択を促す許否選択手順と、
前記許否選択手順で許可を選択した場合に、マーク情報及びレンズ情報に基づいて眼鏡レンズの加工情報を生成する加工情報生成手順とを備えることを特徴とする眼鏡レンズの製造方法。
【請求項６】
請求項５に記載の眼鏡レンズの製造方法において、
前記マーク情報取得手順では、複数の種類の異なるマークのマーク情報を記憶した記憶部からマーク情報を選択することにより、マーク情報を取得することを特徴とする眼鏡レンズの製造方法。
【請求項７】
請求項５又は６に記載の眼鏡レンズの製造方法において、
眼鏡レンズ内部にマーキングされるマークのマーク情報を生成するマーク情報生成手順を備え、
前記マーク情報取得手順では、前記マーク情報生成手順で生成されたマーク情報を取得することを特徴とする眼鏡レンズの製造方法。
【請求項８】
請求項５から７の何れかに記載の眼鏡レンズの製造方法をコンピュータに実行させるためのプログラム。
【請求項９】
請求項５から７の何れかに記載の眼鏡レンズの製造方法を実行させるためのプログラムを記録したコンピュータ読み取り可能な記録媒体。
【発明の詳細な説明】
【技術分野】
【０００１】
本発明は、眼鏡レンズの製造システム、眼鏡レンズの製造方法、プログラム及び記録媒体に関する。
【背景技術】
【０００２】
従来から、眼鏡レンズ内部には、製品名、製造メーカ、ブランド名等を示すマークが形成されている。このようなマークは、プラスチック製の眼鏡レンズの内部にレーザ光を照射し、眼鏡レンズ内部を変質させることにより、形成される（例えば、特許文献１参照）。
【０００３】
【特許文献１】特許２８１０１５１号（第２頁〜第３頁、図１，２参照）
【発明の開示】
【発明が解決しようとする課題】
【０００４】
近年、眼鏡レンズを使用する顧客の要望は多様化しており、眼鏡レンズ内部に形成されたブランド名等を示すマークを他人からも見えるようにしたいという要望や、眼鏡レンズ内部に単なる製品名、ブランド名等を示すマークのみならず、顧客のイニシャルや、模様等のマークを形成したいという要望がある。
顧客が要望するマーキングが可能か否かは、マークの形状や、眼鏡レンズの外形形状、厚さ寸法等によって判断しなければならないが、従来のマーキング方法は、製品名、製造メーカ、ブランド名等を非常に小さな文字でマーキングすることのみを前提としているため、このような判断を行うことができない。そのため、多様なマーキングの要望に対応することができない。
これに加え、小売店においては内部にマークが形成された眼鏡レンズのサンプルを多数用意することが困難であるため、眼鏡レンズの外観等を顧客が確認することができないという問題もある。
【０００５】
本発明の目的は、多様なマーキングの要望に対応することができ、顧客が眼鏡レンズの外観等を確認することができる眼鏡レンズの製造システム、眼鏡レンズの製造方法、プログラム、記録媒体を提供することである。
【課題を解決するための手段】
【０００６】
本発明の眼鏡レンズの製造システムは、内部にマークが形成された眼鏡レンズを製造するための眼鏡レンズの製造システムであって、眼鏡レンズ内部に形成されるマークの形状情報を含むマーク情報を取得するマーク情報取得部と、眼鏡レンズの外形形状情報、光学的特性情報を含むレンズ情報を取得するレンズ情報取得部と、前記マーク情報取得部により取得したマーク情報及び前記レンズ情報取得部により取得したレンズ情報に基づいて眼鏡レンズへのマーキングが可能か否かを判定する判定部と、前記判定部によりマーキング可能とされたマーク情報及びレンズ情報に基づいて、内部にマークが形成された眼鏡レンズのシミュレーション画像を生成し、画像表示部に表示させる画像生成部と、画像表示部に表示された眼鏡レンズの製造の許可又は拒否の選択を促す許否選択部と、前記許否選択部で製造の許可を選択した場合に、マーク情報及びレンズ情報に基づいて眼鏡レンズの加工情報を生成する加工情報生成部とを備えることを特徴とする。
【０００７】
ここで、眼鏡レンズ内部に形成されるマークは、製品名、製造メーカ、ブランド名等を示すマークであってもよく、また、模様や、眼鏡レンズを使用する顧客のイニシャル等であってもよい。
また、画像生成部により生成される眼鏡レンズのシミュレーション画像は、眼鏡レンズの外観を示し、第三者からの見栄えを確認することができるような画像であってもよく、また、顧客が眼鏡を装着した際の、視界を確認することができるような画像であってもよい。
【０００８】
このような本発明によれば、眼鏡レンズの製造システムは、マーク情報及び眼鏡レンズのレンズ情報に基づいてマーキング可能か否かを判定する判定部を備えているため、顧客等が要望したマーキングが可能か否か判断することができる。そして、例えば、判定部で、マークが眼鏡レンズ内部におさまらず、マーキングが不可能であると判断された場合には、マークを小さくしたり、マークを変更したりすることにより、顧客等の多様なマーキングの要望に対応することができる。
【０００９】
また、眼鏡レンズのシミュレーション画像を形成し、画像表示部に表示させる画像生成部、画像表示部に表示された眼鏡レンズの製造の許可又は拒否の選択を促す許否選択部を備えているので、顧客はシミュレーション画像に基づいて、眼鏡レンズの外観や、マークが視界を邪魔しないかどうか等を確認することができ、さらに、これに基づいて、眼鏡レンズを製造するかどうか判断することができる。これにより、顧客の要望に応じた眼鏡レンズを製造することができる。
【００１０】
本発明では、眼鏡レンズを販売する小売店に設置される端末と、この端末と通信回線を介して接続されるサーバとを備え、前記端末は、前記マーク情報取得部、レンズ情報取得部、画像生成部及び許否選択部を有し、前記サーバは、判定部及び加工情報生成部を有することが好ましい。
サーバは、眼鏡レンズの製造メーカの工場等に設置されていてもよく、また、小売店に設置されていてもよい。
このような本発明では、端末は、情報取得部、画像生成部、許否選択部を備えており、他の構成はサーバに搭載されているので、端末の容量を軽くすることができる。
【００１１】
本発明では、複数の種類の異なるマークのマーク情報を記憶した記憶部を備え、前記マーク情報取得部は、前記記憶部に記憶されたマーク情報のなかからマーク情報を選択することによりマーク情報を取得することが好ましい。
このような本発明によれば、複数の異なるマークのマーク情報を予め記憶部に記憶させ、記憶部に記憶された複数のマーク情報の中から、マーク情報を選択しているので、本発明の眼鏡レンズの製造システムにより眼鏡レンズの製造する場合には、マーク情報を生成する必要がない。これにより、眼鏡レンズの製造を簡易化することができる。
【００１２】
また、本発明の眼鏡レンズの製造システムは、前記眼鏡レンズ内部にマーキングするマークのマーク情報を生成するマーク情報生成部を備え、前記マーク情報取得部は、前記マーク情報生成部で生成されたマーク情報を取得するものであってもよい。
このような本発明では、マーク情報を生成するマーク情報生成部を備えているので、顧客が持ち込んだ写真や、ロゴマーク等をスキャナ等で取り込み、これをもとにマーク情報を生成することができる。これにより、顧客のニーズに的確に対応することが可能となる。
なお、本発明の製造システムは、複数の異なるマークのマーク情報を記憶した記憶部と、前述したマーク情報生成部との双方を備え、マーク情報取得部は、記憶部からマーク情報を読み出して選択すること、及びマーク情報生成部で生成されたマーク情報を取得することができるものとしてもよい。
【００１３】
このような本発明は、眼鏡レンズの製造システムだけでなく、眼鏡レンズの製造方法としても成立しうる。このような眼鏡レンズの製造方法は、眼鏡レンズの製造システムと同様の効果を奏することができる。
すなわち、本発明の眼鏡レンズの製造方法は、内部にマークが形成された眼鏡レンズを製造するための眼鏡レンズの製造方法であって、コンピュータが、前記マークの形状情報を含むマーク情報を取得するマーク情報取得手順と、眼鏡レンズの外形形状情報、光学的特性情報を含むレンズ情報を取得するレンズ情報取得手順と、前記マーク情報取得手順で取得したマーク情報及び前記レンズ情報取得手順で取得したレンズ情報に基づいて、眼鏡レンズへのマーキングが可能か否かを判定する判定手順と、前記判定手順で、マーキング可能とされたマーク情報及びレンズ情報に基づいて、内部にマークが形成された眼鏡レンズのシミュレーション画像を生成し、画像表示部に表示させる画像生成手順と、前記画像表示部に表示された眼鏡レンズの製造の許可又は拒否の選択を促す許否選択手順と、前記許否選択手順で許可を選択した場合に、マーク情報及びレンズ情報に基づいて眼鏡レンズの加工情報を生成する加工情報生成手順とを備えることを特徴とする。
【００１４】
この際、前記マーク情報取得手順では、複数の種類の異なるマークのマーク情報を記憶した記憶部からマーク情報を選択することにより、マーク情報を取得することが好ましい。
また、本発明の眼鏡レンズの製造方法は、眼鏡レンズ内部にマーキングされるマークのマーク情報を生成するマーク情報生成手順を備え、前記マーク情報取得手順では、前記マーク情報生成手順で生成されたマーク情報を取得するものであってもよい。
【００１５】
そして、以上のような眼鏡レンズの製造方法は、コンピュータに実行させるためのプログラム、さらには、プログラムを記録したコンピュータ読み取り可能な記録媒体としても成立しうる。
【発明を実施するための最良の形態】
【００１６】
以下、本発明の実施形態を図面に基づいて説明する。
[１．眼鏡レンズの構成]
図１及び図２には、内部にマーク１００が施された眼鏡レンズ３が示されている。
なお、図１は、眼鏡レンズ３と、この眼鏡レンズ３が嵌め込まれるフレーム４１とを備えた眼鏡４を示す斜視図であり、図２は、眼鏡レンズ３を示す斜視図である。
【００１７】
この眼鏡レンズ３は、凸面３１（外面）に球面または非球面が形成され、凹面（内面）に、累進面を有する内面累進多焦点レンズである。この眼鏡レンズ３は、プラスチック製のレンズであり、例えば、チオウレタン系化合物からなる原料モノマーを重合させたものである。眼鏡レンズの凸面３１及び凹面には、図示しないが、耐擦傷性を向上させるためのハードコート膜や、光の反射により生じるちらつきやゴースト等を防止するための反射防止膜等が形成されている。
マーク１００は、立体的な構造となっており、ここでは、例えば、イニシャル等であり、英字のＥＰという文字である。なお、マーク１００は、英字に限らず、例えば、星型の模様等であってもよい。
【００１８】
［２．眼鏡レンズの製造システムの構成］
このような眼鏡レンズ３は、図３に示すような、眼鏡レンズの製造システム１を用いて製造される。
この眼鏡レンズの製造システム１は、眼鏡４の小売店に設置される端末１１と、眼鏡レンズ３の製造メーカの工場に設置されるデータサーバ１２と、受注サーバ１３と、計算サーバ１４と、機械端末１５とを備える。
【００１９】
端末１１は、ＣＰＵ（Central Processing Unit）を備えた汎用のパーソナルコンピュータ等であり、図４に示すように、端末１１外部からの情報又は端末１１内の記憶部１１Ｄに記憶された情報を取得する取得部１１Ａと、取得部１１Ａで取得した情報の処理を行う処理部１１Ｂと、出力部１１Ｃと、取得部１１Ａで取得した情報等を記憶する記憶部１１Ｄと、液晶ディスプレイ等の画像表示部１１Ｅを有する。
取得部１１Ａは、ＣＰＵの動作制御を行うマルチタスク機能を有するＯＳ（Operating System）上に展開されるプログラムとして構成される情報取得部１１１と、顔画像取得部１１２と、許否選択部１１３と、判定情報取得部１１４、再表示選択部１１５とを備える。
【００２０】
情報取得部１１１は、眼鏡レンズ内部に形成されるマークのマーク情報、眼鏡レンズ３のレンズ情報等を取得するものである。
この情報取得部１１１は、マーク情報を選択し、取得するマーク情報取得部１１１Ａと、眼鏡レンズがはめ込まれるフレームを選択し、フレーム情報を取得するフレーム情報取得部１１１Ｂと、眼鏡レンズの屈折率（光学的特性情報）、色、表面処理の情報を選択する第一レンズ情報取得部１１１Ｃと、眼鏡レンズの眼鏡処方（光学的特性情報）を取得する第二レンズ情報取得部１１１Ｄとを備える。
ここで、眼鏡レンズの屈折率（光学的特性情報）、色、表面処理の情報を第一レンズ情報とし、レンズの眼鏡処方（光学的特性情報）を第二レンズ情報とする。
【００２１】
マーク情報取得部１１１Ａは、データサーバ１２に記憶された複数の異なるマークのマーク情報のなかから、マーク情報を選択して取得するものである。
ここで、マーク情報は、マークの形状情報（マークの外形形状、マークの厚さ寸法等）やマークの濃さ等の情報を含むものである。
なお、データサーバ１２に記憶された複数の異なるマークのマーク情報は、処理部１１Ｂの画像生成部１１６により読み出されて、各マーク情報に応じたマーク画像が生成される。そして、画像表示部１１Ｅに表示される。これにより、顧客が、複数のマークの中から好みのマークを選択できるようになっている。
【００２２】
第一レンズ情報取得部１１１Ｃは、データサーバ１２に記憶された複数の異なる第一レンズ情報（眼鏡レンズの屈折率（光学的特性情報）、眼鏡レンズの染色の色、表面処理の情報）のなかから、第一レンズ情報を選択して取得するものである。
ここで、表面処理の情報とは、眼鏡レンズに耐擦傷性を向上させるためのハードコート膜を形成するハードコート膜の形成の有無、反射防止膜の形成の有無、水やけ防止コート膜の形成の有無等をいう。
【００２３】
さらに、第二レンズ情報取得部１１１Ｄは、第二レンズ情報である眼鏡レンズの眼鏡処方（光学的特性情報）を取得するものである。眼鏡レンズの眼鏡処方とは、球面度数、乱視度数、乱視軸、加入度、瞳孔間距離等を言う。
ここで、第二レンズ情報取得部１１１Ｄは、検眼したデータを図示しないキーボード等を介して、端末１１に入力することにより、眼鏡処方を取得してもよく、また、過去に入力された眼鏡レンズの眼鏡処方を端末１１の記憶部１１Ｄや、データサーバ１２に記憶させておき、端末１１内の記憶部１１Ｄやデータサーバ１２から読み出して取得してもよい。
【００２４】
フレーム情報取得部１１１Ｂは、データサーバ１２に記憶された複数の異なるフレーム情報のなかから、フレーム情報を選択して取得するものである。
ここで、フレーム情報としては、例えば、フレームの中心からの距離を極座標系の座標の集合で示したフレームの形状、フレームサイズを表す情報や、フレームタイプ（フルリム、ツーポイント、ナイロール等）を示したレンズ端面の形状情報等が挙げられる。
このようなフレーム情報を取得することにより、眼鏡レンズの外形形状情報を得ることができる。すなわち、フレーム情報取得部１１１Ｂは、眼鏡レンズの外形形状情報を取得するためのレンズ情報取得部としての役割を果たす。
従って、レンズの光学的特性情報及び眼鏡レンズの外形形状情報を含んだレンズ情報は、情報取得部１１１のフレーム情報取得部１１１Ｂで取得されるフレーム情報の一部、第一レンズ情報取得部１１１Ｃで取得される第一レンズ情報、第二レンズ情報取得部１１１Ｄで取得される第二レンズ情報により構成されることとなる。
なお、データサーバ１２に記憶された複数の異なるフレーム情報は、処理部１１Ｂの画像生成部１１６により読み出され、各フレーム情報に応じたフレーム画像が生成される。そして、画像表示部１１Ｅに表示される。これにより、顧客が複数のフレームの中から好みのフレームを選択できるようになっている。
【００２５】
顔画像取得部１１２は、端末１１に接続された図示しない撮像手段、例えば、デジタルカメラ、ビデオカメラ等により、撮影された顧客の顔画像情報を取得するものである。
以上のような、顔画像取得部１１２で取得された顔画像情報、情報取得部１１１で取得した第一レンズ情報、第二レンズ情報、フレーム情報、マーク情報は、記憶部１１Ｄに記憶された後、処理部１１Ｂの画像生成部１１６により、読み出され、合成されて、シミュレーション画像が生成される。
画像生成部１１６で合成したシミュレーション画像は、出力部１１Ｃの画像出力部１１８を介して画像表示部１１Ｅに表示される。
例えば、画像表示部１１Ｅには、図５に示すような顧客が眼鏡レンズを装着した状態のシミュレーション画像Ｇ１が表示される。顧客は、このシミュレーション画像Ｇ１に基づいて、眼鏡の外観等を確認することができる。
【００２６】
また、画像生成部１１６では、第一レンズ情報、第二レンズ情報、フレーム情報、マーク情報に基づいて、マークが内部に形成された眼鏡レンズの立体画像を形成することもできる。さらには、眼鏡レンズを通して見た視野のシミュレーションを形成することも可能である。このような画像は画像出力部１１８を介して画像表示部１１Ｅに表示され、図６及び図７に示すようなシミュレーション画像Ｇ２，Ｇ３となる。
これにより、顧客は、シミュレーション画像Ｇ２，Ｇ３に基づいて、眼鏡レンズの厚さ寸法や、眼鏡レンズを通してみた場合の視野の確認を行うことができる。
【００２７】
再表示選択部１１５は、画像表示部１１Ｅで表示された眼鏡を変更して、シミュレーション画像を再表示するか否かの選択を促し、再表示するか否かの情報を取得するものである。
再表示選択部１１５で再表示を行うという情報を取得した場合には、情報取得部１１１でマーク情報、眼鏡レンズの第一レンズ情報、フレーム情報等の再取得が行われる。そして、再取得された情報に基づいて画像生成部１１６で新たなシミュレーション画像の生成が行われ、画像表示部１１Ｅに表示される。
再表示選択部１１５で再表示を行わないという情報を取得した場合には、画像表示部１１Ｅに表示されたシミュレーション画像を形成したマーク情報、第一レンズ情報、第二レンズ情報、フレーム情報が出力部１１Ｃの情報出力部１１７から計算サーバ１４（図３参照）に出力される。
計算サーバ１４では、判定部１４１により、マーク情報、第一レンズ情報、第二レンズ情報、フレーム情報に基づいて、眼鏡レンズ内部へのマークのマーキングが可能であるか否かの判定が行われる。
【００２８】
判定情報取得部１１４は、計算サーバ１４の判定部１４１による判定結果を取得するものである。
許否選択部１１３は、判定情報取得部１１４でマーキング可能という判定結果を受けた場合に、眼鏡レンズの製造の許可又は拒否の選択を促し、許可又は拒否の情報を取得するものである。
この許否選択部１１３で眼鏡レンズの製造の許可の情報を取得した場合には、出力部１１Ｃの情報出力部１１７から、眼鏡レンズの第一レンズ情報、第二レンズ情報、フレーム情）、マーク情報が受注サーバ１３に出力される。
【００２９】
図１に示すデータサーバ１２は、図示しないが、ＣＰＵ（Central Processing Unit）、主記憶装置、入出力装置、通信制御装置、外部記憶装置等の通常のサーバとして必要なハード構成を備えたものであり、複数の異なるマークのマーク情報、複数の異なるフレームのフレーム情報、眼鏡レンズの第一レンズ情報等を記憶する記憶部としての役割を果たす。このデータサーバ１２と、端末１１とは、通信回線、例えば、インターネットや専用回線等により接続されている。なお、このデータサーバ１２内に記憶されたフレーム情報等は更新可能となっており、更新に必要な制御プログラムが格納されている。
本実施形態では、データサーバ１２を設置したが、これに限らず、データサーバ１２内のデータを小売店に設置された端末１１の記憶部１１Ｄに記憶させておいてもよい。また、データサーバ１２及び端末１１の記憶部１１Ｄの双方にデータを記憶させておいてもよい。
【００３０】
受注サーバ１３も、図示しないが、ＣＰＵ（Central Processing Unit）、主記憶装置、入出力装置、通信制御装置、外部記憶装置等の通常のサーバとして必要なハード構成を備えたものであり、許否選択部１１３で製造の許可を取得した眼鏡レンズの第一レンズ情報、第二レンズ情報、フレーム情報及びマーク情報を受注部１３１で受注情報として取得し記憶する。そして、この受注情報を計算サーバ１４に転送する。受注サーバ１３と端末１１とは、通信回線、例えば、インターネットや専用回線等により接続されており、計算サーバ１４と受注サーバ１３とは、例えば、ＬＡＮにより接続されている。
なお、この受注サーバ１３には、各受注情報に異なる管理番号を付与する管理番号付与部１３２が設けられている。
【００３１】
計算サーバ１４も図示しないが、ＣＰＵ（Central Processing Unit）、主記憶装置、入出力装置、通信制御装置、外部記憶装置等の通常のサーバとして必要なハード構成を備えたものであり、サーバ１４全体の動作制御を行うＯＳ（Operating System）上に展開されるプログラムとしての判定部１４１と、加工情報生成部１４２とを備える。
判定部１４１は、端末１１の情報出力部１１７から出力されたマーク情報、第一レンズ情報、第二レンズ情報、フレーム情報を受信し、これらの情報に基づいて、眼鏡レンズ内部へのマークのマーキングが可能か否か判定するものである。
【００３２】
さらに、詳細に説明すると、この判定部１４１では、フレーム形状に応じた眼鏡レンズの外形形状情報、眼鏡レンズの屈折率、眼鏡レンズの眼鏡処方等のレンズ情報から、マーキング可能な部分の面積を計算し、さらに、そのマーキング可能な部分の厚さ寸法を求める。
そして、マーク情報と照合して、マーキング可能な部分の範囲内にマーキングができるか、例えば、マークが眼鏡レンズの厚さ寸法内におさまるかどうか、マークがマーキング可能な面積内におさまるか否か等を判定する。
このような判定部１４１による判定結果は、端末１１の判定情報取得部１１４へ出力される。計算サーバ１４と端末１１とは、例えば、インターネットや専用回線等により接続されている。
なお、判定部１４１でマーキングが不可能とされた場合には、再度、情報取得部１１１で、マーク情報等のマーキングに必要な情報を取得することとなるが、このとき、判定部１４１でマーキングを可能にするための情報を出力してもよい。例えば、図８（Ａ）に示すように、マーキング可能な領域１０００に対してマーク１００１のＸ軸方向の範囲が領域内に収まらなかった場合、図８（Ｂ）に示すように、Ｘ軸方向の長さを縮小して領域１０００内に収まるようにしたり、図８（Ｃ）に示すように、マーク全体の大きさを縮小して領域１０００に収まるように修正する。このときの修正データを判定部１４１で出力し、情報取得部１１１のマーク取得部１１１Ａのデータに反映させればよい。厚み方向の場合も同様である。
なお、修正して出力するデータはマーク情報に限らず、フレーム情報および第一レンズ情報、第二レンズ情報でもよい。
【００３３】
加工情報生成部１４２は、受注サーバ１３で受注した第一レンズ情報、第二レンズ情報、フレーム情報、マーク情報の受注情報に基づいて、眼鏡レンズの加工情報を生成する。加工情報には、未加工（セミフィニッシュ）の円形の眼鏡レンズを研磨し、眼鏡レンズの眼鏡処方にあわせるための研磨装置の駆動情報、未加工の円形の眼鏡レンズをフレーム形状に合わせて玉型加工するためのＮＣ工作機械の駆動情報、さらには、マーキングを行うためのマーキング装置の駆動情報が含まれる。
ここで、マーキング装置の駆動情報としては、マーキング装置の眼鏡レンズを保持するステージをレーザ光出力部に対して移動させる際のステージの移動量、ステージの移動方向、レーザ光の強度、レーザ光を遮るシャッターの開閉のタイミング等のデータがあげられる。
【００３４】
このような加工情報生成部１４２で生成された加工情報は、例えば、ＬＡＮにより接続された機械端末１５に送られる。
機械端末１５は、眼鏡レンズを研磨して所望の度数に設定するための研磨装置、玉型加工等を行うＮＣ工作機械、マーキング装置等に接続されており、各装置、機械に加工情報に応じた指令を出す。
【００３５】
［３．眼鏡レンズの製造方法］
以上のような、眼鏡レンズの製造システム１を用いた眼鏡レンズ３の製造方法について、図１及び図９を参照して説明する。図９は、眼鏡レンズ３の製造方法を示すフローチャートである。
まず、小売店に設置された端末１１の顔画像取得部１１２により顧客の顔画像を取得する（処理Ｓ１）。
次に、情報取得部１１１でマーク１００のマーク情報、眼鏡レンズ３のレンズ情報を取得する（情報取得手順、処理Ｓ２）。
具体的には、マーク情報取得部１１１Ａにより、データサーバ１２に記憶された複数のマーク情報のなかからマーク１００のマーク情報を選択して取得する。また、フレーム情報取得部１１１Ｂにより、データサーバ１２に記憶された複数のフレーム情報のなかから、フレーム４１のフレーム情報を選択して取得する。さらに、第一レンズ情報取得部１１１Ｃにより、データサーバ１２に記憶された複数の第一レンズ情報のなかから、眼鏡レンズ３に関する第一レンズ情報（眼鏡レンズの屈折率、色、表面処理の情報）を選択して取得する。また、第二レンズ情報取得部１１１Ｄにより、第二レンズ情報である眼鏡レンズ３の眼鏡処方を取得する。
【００３６】
そして、これらの取得した情報と、顔画像取得部１１２で取得した顔画像情報とを画像生成部１１６で合成してシミュレーション画像を生成する（処理Ｓ３、画像生成手順）。そして、このシミュレーション画像を画像表示部１１Ｅに表示する（処理Ｓ４、画像表示手順）。
画像生成部１１６では、眼鏡と顔画像とを合成したシミュレーション画像Ｇ１（図５参照）のみならず、眼鏡レンズの立体画像Ｇ２（図６参照）や眼鏡レンズを通して見た視野のシミュレーション画像Ｇ３（図７参照）をも生成し、画像表示部１１Ｅでは、これらのシミュレーション画像Ｇ１〜Ｇ３を表示する。
【００３７】
次に、再表示選択部１１５で再表示の選択が行われたか否かを判断する（処理Ｓ５）。
再表示選択部１１５において、再表示の選択を行った場合、すなわち、顧客が画像表示部１１Ｅに表示された眼鏡の変更を要望する場合、再度、情報取得部１１１でマーク情報、第一レンズ情報、フレーム情報を取得し（処理Ｓ２）、画像生成（処理Ｓ３）と、画像表示（処理Ｓ４）とを繰り返す。
再表示選択部１１５において再表示しない選択を行った場合には、画像表示部１１Ｅに表示された眼鏡レンズのマーク情報、第一レンズ情報、第二レンズ情報、フレーム情報を端末１１の情報出力部１１７から計算サーバ１４へ出力する（処理Ｓ６）。
なお、再表示しない選択を行った場合には、画像生成部１１６で生成したシミュレーション画像Ｇ１〜Ｇ３は、端末１１内の記憶部１１Ｄに記憶される。
【００３８】
次に、計算サーバ１４の判定部１４１において、第一レンズ情報、第二レンズ情報、フレーム情報及びマーク情報に基づいてマーキング可能か否かを判定する（判定手順、処理Ｓ７）。
そして、この判定結果を端末１１の判定情報取得部１１４で取得する。
【００３９】
判定情報取得部１１４でマーキング可能という判定結果を取得した場合（処理Ｓ８）には、再度、シミュレーション画像を画像表示部１１Ｅに表示する（画像表示手順、処理Ｓ９）。
ここでは、判定情報取得部１１４でマーキング可能と判定された眼鏡レンズの画像は、前述した画像生成手順で既に生成され、記憶部１１Ｄに記憶されているので、ここでは、画像の表示のみを行う。
なお、再度、判定情報取得部１１４でマーキング可能と判定された眼鏡レンズのシミュレーション画像の生成をおこなってもよい。
顧客は、画像表示部１１Ｅに表示されたシミュレーション画像を確認し、この眼鏡レンズ３を製造するかどうかを判断する。
一方、判定情報取得部１１４でマーキング不可能という判定結果を取得した場合（処理Ｓ８）には、再度、情報取得部１１１でマーク情報、第一レンズ情報、フレーム情報の取得を行う（処理Ｓ２）。
なお、前述したように、例えば、マーキング可能領域１０００にマーク１００１が収まらず、マーキング不可能とされた場合（図８参照）において、判定部１４１からマークの修正データを出力できるような場合には、情報取得部１１１で修正データを取得し、画像生成部１１６でこれを反映したシミュレーション画像を生成する。そして、この生成したシミュレーション画像を画像表示部１１Ｅで表示する。
【００４０】
次に、許否選択部１１３により、マーキング可能という判断結果を取得した眼鏡レンズ３の製造の許可又は拒否を選択し、眼鏡レンズ３の製造の許可又は拒否の情報を取得する（許否選択手順、処理Ｓ１０）。
許否選択部１１３で眼鏡レンズ３の製造の許可を選択した場合には、マーク情報、第一レンズ情報、第二レンズ情報、フレーム情報が端末１１の情報出力部１１７から受注サーバ１３に転送される。
許否選択部１１３で眼鏡レンズ３の製造を拒否した場合には、再度、情報取得部１１１でマーク情報、フレーム情報等の取得を行う（処理Ｓ２）。
【００４１】
受注サーバ１３の受注部１３１では、マーク情報、第一レンズ情報、第二レンズ情報、フレーム情報を受注情報として取得し（処理Ｓ１１）、管理番号付与部１３２において管理番号を付与する（処理Ｓ１２）。
そして、この受注情報は、計算サーバ１４の加工情報生成部１４２に送られ、加工情報生成部１４２では、受注情報に基づいて眼鏡レンズの加工情報が生成される（加工情報生成手順、処理Ｓ１３）。
さらに、この加工情報は、機械端末１５に出力され（処理Ｓ１４）、機械端末１５に接続された装置等に指令が出される。
【００４２】
機械端末１５に接続された装置等では、例えば、図１０に示すような順で、眼鏡レンズ３の加工が施される。図１０は、眼鏡レンズ３の加工手順を示すフローチャートである。
まず、円形の眼鏡レンズ（セミフィニッシュレンズ）を切削、研磨し、眼鏡処方に合わせて加工する加工工程が行われる（処理Ｓ２１）。次に、端末１１の第一レンズ情報取得部１１１Ｃで、取得した情報に基づいて、眼鏡レンズ３を染色する染色工程（処理Ｓ２２）、眼鏡レンズ３に耐擦傷性を向上させるためのハードコート膜を形成するハードコート膜形成工程（処理Ｓ２３）、光の反射により生じるちらつきやゴースト等を防止するための反射防止膜を形成する反射防止膜形成工程（処理Ｓ２４）、水やけ防止コート膜形成工程（処理Ｓ２５）の各工程が行われる。なお、各工程は、必ずしも全行程を経る必要はない。
【００４３】
そして、眼鏡レンズ３を眼鏡のフレーム４１の形状に加工する玉型加工工程が行われる（処理Ｓ２６）。
次に、このようにして加工された眼鏡レンズ３内部にレーザ光によりマークを施すマーキング工程（処理Ｓ２７）が行われる。
マーキング工程では、モードロックチタンサファイアレーザを用いて、波長８００ｎｍ、最大出力１Ｗ、パルス幅１００ｆｓ、繰り返し数１ｋＨｚのいわゆるフェムト秒レーザ光によりマーキングが行われる。
これにより、内部にマーク１００が形成された眼鏡レンズ３を得ることができる。
【００４４】
次に、以上のようにして製造された眼鏡レンズ３の検査が行われる（検査工程、処理Ｓ２８）。
検査工程では、受注サーバ１３で受注した受注情報に基づいた加工指示書と、眼鏡レンズ３とを照合することで、眼鏡レンズ３の検査を行う。
なお、眼鏡レンズ３のマーク１００の検査は、受注情報に基づいて、工場内でシミュレーション画像を形成し、そのシミュレーション画像と、マーク１００とを比較して行う。例えば、マークを所定の角度から見た場合に、眼鏡レンズ３内のマーク１００と、シミュレーション画像のマークの見え方が一致するか否か等を検査する。
このような検査工程で、良好と判断されると、眼鏡レンズ３は、小売店に向けて出荷される。
【００４５】
[４．実施形態の効果]
従って、本実施形態によれば、以下のような効果を奏することができる。
（4-1）眼鏡レンズの製造システム１は、マーク情報及び眼鏡レンズのレンズ情報に基づいてマーキング可能か否かを判定する判定部１４１を備えているため、小売店で顧客等が要望したマーキングが可能か否か判断することができる。
そして、例えば、判定部１４１で、マークが眼鏡レンズ内部におさまらず、マーキングが不可能であると判断された場合には、マークを小さくしたり、マークを変更したりすることにより、顧客等が要望する多様なマーキングに対応することができる。
【００４６】
（4-2）本実施形態の眼鏡レンズの製造システム１は、眼鏡レンズのシミュレーション画像を形成する画像生成部１１６、シミュレーション画像を表示する画像表示部１１Ｅ、さらに、画像表示部１１Ｅに表示された眼鏡レンズの製造の許可又は拒否の選択を促す許否選択部１１３を備えているので、顧客はシミュレーション画像に基づいて、眼鏡レンズの外観や、マークが視界を邪魔しないかどうか等を確認することができ、眼鏡レンズを製造するかどうか判断することができる。
これにより、顧客の要望に応じた眼鏡レンズを製造することができるとともに、顧客の要望に合わない眼鏡レンズの製造を防止することができる。
特に、画像生成部１１６では、眼鏡と顔画像とを合成したシミュレーション画像Ｇ１のみならず、眼鏡レンズを通して見た視野のシミュレーション画像Ｇ３も生成し、これを画像表示部１１Ｅで表示しており、これにより、顧客は眼鏡レンズの特性を充分に把握して、眼鏡レンズを購入することができる。
【００４７】
（4-3）さらに、小売店において、顧客はシミュレーション画像に基づいて、眼鏡レンズを購入することができるので、小売店に眼鏡レンズのサンプルを多数設置することが不要となる。これにより、小売店の省スペース化を図ることができる。
（4-4）本実施形態では、工場に設置された計算サーバ１４に眼鏡レンズ内部へのマークのマーキングが可能か否か判定する判定部１４１と、眼鏡レンズの加工情報を生成する加工情報生成部１４２とが設けられているため、これらが小売店に設置される端末に設けられている場合にくらべ、端末１１の容量を軽くすることができる。
（4-5）本実施形態の眼鏡レンズの製造システム１では、データサーバ１２に記憶された複数の異なるマークのマーク情報のなかから、マーク情報を選択することで、眼鏡レンズに形成されるマークを決定しているため、眼鏡レンズに形成されるマークのマーク情報を生成する必要がない。これによりマーク情報を生成する手間を省くことができ、眼鏡レンズの製造を簡易化することができる。
【００４８】
（4-6）製造された眼鏡レンズ３の検査工程では、受注サーバ１３で受注した受注情報に基づいた加工指示書と、眼鏡レンズ３とを照合することで、眼鏡レンズ３の検査を行っており、これにより不良品が出荷されてしまうことを防止できる。
さらに、マーク１００の検査は、シミュレーション画像と、マーク１００とを比較して行っており、これにより、所望の形状に形成されていないマークを備えた眼鏡レンズをチェックすることができる。
（4-7）本実施形態の眼鏡レンズの製造システム１により製造された眼鏡レンズ３は、内部にイニシャル等のマーク１００が施されたマークとなり、他の眼鏡レンズとの差別化を図ることができる。
【００４９】
[５．実施形態の変形]
なお、本発明は前述の実施形態に限定されるものではなく、本発明の目的を達成できる範囲での変形、改良等は本発明に含まれるものである。
例えば、前記実施形態では、データサーバ１２に複数のマーク情報が蓄積されており、このデータサーバ１２からマーク情報を選択することで、マークを選んでいたが、これに限らず、小売店の端末１１内に、マーク情報生成部を設け、このマーク情報生成部でマーク情報を生成し、生成したマーク情報を取得してもよい。
例えば、スキャナ等で顧客が持ち込んだ写真やロゴマーク等を取り込み、これに基づいてマーク情報を生成してもよい。また、顧客が持ち込んだ２次元のマークを、マーク情報生成部で３次元のマーク情報に変換し、この３次元のマーク情報を取得して３次元のマークを眼鏡レンズに付してもよい。
さらに、端末１１内にマーク情報を生成するためのソフトウエアを搭載させておき、端末１１でマーク情報を生成してもよい。
このようにすることで、より的確に、顧客の要望に応えることができるようになる。
【００５０】
さらに、前記実施形態では、マーク情報、眼鏡レンズのレンズ情報に基づいて、マーキングが可能かどうかを判断する判定部１４１は、製造メーカの工場に設置された計算サーバ１４に設けられていたが、判定部１４１を小売店の端末１１に搭載させてもよい。このようにすることで、小売店内でマーキングの可否を判定することができる。
また、加工情報生成も計算サーバでなく、小売店の端末で行ってもよい。このようにすることで、計算サーバが不要となる。
【００５１】
前記実施形態では、眼鏡レンズ３のマーク１００をイニシャル等の英数字としたが、これに限らず、製品名、製造メーカ、ブランド名、シリアルナンバーを示す英数字としてもよい。
例えば、マークを製品名、製造メーカ、ブランド名、シリアルナンバーとする場合には、顧客に、眼鏡レンズ内部にマークを付して良いか否かを確認する。顧客がマークを付すことを承諾した場合には、情報取得部１１１で、製品名、製造メーカ、ブランド名、シリアルナンバー等のマーク情報を取得する。その後の工程は、前記実施形態と同様である。
【００５２】
また、前記実施形態では、端末１１の情報取得部１１１のフレーム情報取得部１１１Ｂでは、データサーバ１２に蓄積されたフレーム情報を選択したが、これに限らず、例えば、所望のフレーム情報がデータサーバ１２に蓄積されていない場合には、小売店に展示された眼鏡をかけた状態で、撮像して、顔画像とともに、フレーム情報を取得してもよい。
【００５３】
さらに、本発明は、前記実施形態で示されるような、眼鏡レンズの製造システム１として構成されるだけでなく、眼鏡レンズの製造方法をコンピュータに実行させるプログラム、およびこのプログラムを記録したＣＤ−ＲＯＭ、メモリカード等のコンピュータ読み取り可能な記録媒体としても構成することができる。
【産業上の利用可能性】
【００５４】
本発明は、内部にレーザによりマーク、例えば、製品名、製造メーカ、ブランド名等を示すマークや、模様であるマーク等が施された眼鏡レンズの製造に利用することができる。
【図面の簡単な説明】
【００５５】
【図１】本発明の実施形態にかかる眼鏡レンズの製造システムにより製造される眼鏡レンズを備えた眼鏡を示す斜視図。
【図２】前記眼鏡レンズの製造システムにより製造される眼鏡レンズを示す斜視図。
【図３】前記眼鏡レンズの製造システムを示すブロック図。
【図４】前記眼鏡レンズの製造システムの要部を示すブロック図。
【図５】画像表示部に表示される眼鏡のシミュレーション画像を示す図。
【図６】画像表示部に表示される眼鏡レンズのシミュレーション画像を示す図。
【図７】画像表示部に表示される眼鏡のシミュレーション画像を示す図。
【図８】判定部でマーキング不可能と判断された場合に、マークを小さくしたり、マークの変更を行う内容を示す模式図。
【図９】眼鏡レンズの製造方法を示すフローチャート。
【図１０】眼鏡レンズの加工手順を示すフローチャート。
【符号の説明】
【００５６】
１…眼鏡レンズの製造システム、３…眼鏡レンズ、１１…端末、１２…データサーバ、１３…受注サーバ、１４…計算サーバ、１００…マーク、１１１…情報取得部、１１１Ａ…マーク情報取得部、１１１Ｂ…フレーム情報取得部、１１１Ｃ…第一レンズ情報取得部、１１１Ｄ…第二レンズ情報取得部、１１６…画像生成部、１１Ｅ…画像表示部、１４１…判定部、１４２…加工情報生成部
【図１】
2005091425.tif 000003
【図２】
2005091425.tif 000004
【図３】
2005091425.tif 000005
【図４】
2005091425.tif 000006
【図５】
2005091425.tif 000007
【図６】
2005091425.tif 000008
【図７】
2005091425.tif 000009
【図８】
2005091425.tif 000010
【図９】
2005091425.tif 000011
【図１０】
2005091425.tif 000012